(57)【要約】【課題】接続すべき電気部品同士の間の距離が多様な場合にも被覆電線における長さの種類の低減化を図る。【解決手段】電気部品４が実装された基板９と端子基板１０とを結合し、端子基板１０に設けられた端子２１と基板９に実装された電気部品４のリード線のような端子とを接続し、端子２１に一端の接続された被覆電線１１を端子基板１０に設けられたコードリール１８に巻き付けるとともに被覆電線１１のコードリールからの引出量を調整し、被覆電線１１の引出側の端部を電気部品４の接続すべき相手側電気部品の端子に接続し、被覆電線１１のコードリール１８と相手側電気部品との間に存在する中間部を端子基板１０に装着されたケース１２と端子基板１０とで支持する。【選択図】　　　　図１
2004041291.tif 000002
【特許請求の範囲】
【請求項１】
電気部品の実装された基板と、基板に固定された端子基板と、端子基板に立設されるとともに電気部品と接続された端子と、端子に接続された被覆電線と、被覆電線を巻き付けるべく端子基板に設けられたコードリールと、コードリールに巻き付けられた被覆電線を端子基板との共同で支持すべく端子基板に移動可能に取付けられたケースとを備えたことを特徴とする遊技機の配線収容装置。
【発明の詳細な説明】
【０００１】
【発明の属する技術分野】
本発明は、遊技機に設けられた電気部品同士を接続する被覆電線を収容する装置に関する。
【０００２】
【従来の技術】
図５は、遊技機に設けられた電気部品同士を接続する被覆電線の配線構造の例としてパチンコ機の遊技盤の裏側を示す。この類似構造は特開２００２−３５３６５号公報に開示されている。遊技盤１００には、ランプ風車装置１０１；１０２やサイドランプ装置１０３；１０４のような電気部品がそれぞれ左右一対の態様で設けられることが多い。そして、このような電気部品１０１〜１０４はそれぞれ被覆電線１０５〜１０８によって制御装置１０９に接続されることにより、その動作が制御装置１０９によって制御される。符号１１０は遊技盤１００に前後方向に貫通するように形成されたアウト口であって、アウト口１１０は遊技盤１００の前面に区分けされた図外の遊技領域から遊技盤１００の裏面に球を排出する開口である。
【０００３】
【発明が解決しようとする課題】
しかしながら、遊技盤１００の裏側では左右方向中央部に、図柄表示器や可変入賞部品のようなセンター役物、始動入賞部品、アタッカや大入賞口、アウト口１１０が上から下に順に配置されるため、制御装置１０９が左右の何れか一方に偏って配置される。従って、遊技盤１００に左右一対の態様で配置される同一種類の電気部品、例えば、ランプ風車装置１０１；１０２同士であっても異なった長さの被覆電線１０５；１０６によって制御装置１０９に接続される。このようなことから、同一種類の電気部品についても長さの異なった被覆電線１０５；１０６を使用しなければならない。この場合、使用する被覆電線１０５；１０６の長さを統一しようとすることから、仮に、長さの長い被覆電線１０６によって複数のランプ風車装置１０１；１０２を制御装置１０９に接続する場合には、制御装置１０９と左側のランプ風車装置１０１とを接続するための被覆電線１０５に代わる被覆電線１０６が弛んで下方へ垂れ下がって、周囲の部品に絡まったりまたは各種部品の保守点検等の際に、弛んで下方へ垂れ下がった被覆電線１０６が作業者の手に絡まるという問題点が発生する可能性がある。さらに、制御装置１０９には、ランプ風車装置１０１；１０２やサイドランプ装置１０３；１０４以外に様々な種類の電気部品が接続されるため、種類の異なる電気部品毎に長さの異なる被覆電線を使用しなければならない。このように、遊技盤１００に設けられる電気部品同士を接続するためには長さの異なる複数種の被覆電線が必要となるために、被覆電線の長さの管理が極めて煩雑である等の問題があった。
【０００４】
そこで、本発明は、接続すべき電気部品同士の間の距離が多様な場合にも対応できる遊技機の配線収容装置を提供するものである。
【０００５】
【課題を解決するための手段】
本発明にあっては、電気部品の実装された基板と、基板に固定された端子基板と、端子基板に立設されるとともに電気部品と接続された端子と、端子に接続された被覆電線と、被覆電線を巻き付けるべく端子基板に設けられたコードリールと、コードリールに巻き付けられた被覆電線を端子基板との共同で支持すべく端子基板に移動可能に取付けられたケースとを備えたことにより、コードリールに巻き付けられる被覆電線の量を加減して、最適な長さの被覆電線によって電気部品同士を接続でき、さらに、コードリールから引出された被覆電線は、端子基板とケースとの共同によって保持される。
【０００６】
【発明の実施の形態】
図１〜図３は第１実施形態であって、図１はランプ風車装置１に配線収容装置２を適用した形態を分解して示し、図２はランプ風車装置１に配線収容装置２を適用した形態の断面であって、ケース１２の電線引出孔２５が開放している形態を示し、図３はランプ風車装置１に配線収容装置２を適用した形態の断面であって、ケース１２と端子基板１０とによって被覆電線１１を挟んでいる形態を示す。
【０００７】
図１を参照し、ランプ風車装置１に用いられた配線収容装置２について説明する。ランプ風車装置１は回転体３と、回転体３を照明するフィラメント球４とを備える。回転体３は遊技盤５の前側に設けられ、フィラメント球４は、遊技盤５の裏面側に設けられたセット板６の後側に設けられる。回転体３は、回転体３を回転可能に支持する回転ベース７に組み付けられた形態で、螺子８のような固定手段によって遊技盤５に取付けられる。
【０００８】
配線収容装置２は、ランプ風車装置１と図外の制御装置との間に設けられ、制御装置から上記フィラメント球４に電力を供給するものである。配線収容装置２は、基板９と、端子基板１０と、被覆電線１１と、ケース１２とを備える。基板９の表面には、図外の配線パターンが形成される。基板９の表面には、上記フィラメント球４のような電気部品が実装される。フィラメント球４の図外のリード線は、配線パターンに接続される。基板９の中央には、基板９を貫通する端子孔１３が形成される。
【０００９】
端子基板１０は、一端が閉塞され且つ他端が開放した円筒部１４と、円筒部１４の底内面の中心に立設された支柱部１５とを備える。円筒部１４の外周面には周方向の溝１６；１７が形成される。支柱部１５の長さ方向中央にはコードリール１８が形成され、支柱部１５の先端は軸部１９になっている。コードリール１８の両端には鍔２０が形成される。端子基板１０には、端子基板１０の内部を挿通する端子２１が設けられる。端子２１は導電部材によって形成される。端子２１の一端は端子基板１０の底の外面から突出し、端子２１の他端はコードリール１８の側面から突出する。そして、端子基板１０の円筒部１４の底の外面を基板９の裏面に接触させた状態で、端子２１の一端は基板９の端子孔１３から突出する。基板９の端子孔１３から突出した端子２１の一端は、基板９の配線パターンに半田付けされる。端子２１の他端には、被覆電線１１が設けられる。そして、端子基板１０の円筒部１４の底の外面を基板９の裏面に接触させた形態で、端子基板１０および基板９は、セット板６の裏面に固定された取付支柱２２に螺子２３のような固定手段によって取付けられる。
【００１０】
被覆電線１１は、銅のような金属線たる電気的な導線を電気的な絶縁被覆で被覆した形態である。そして、被覆電線１１の導線の一端が端子２１の他端に接続された状態で、被覆電線１１がコードリール１８に巻き付けられる。被覆電線１１の他端には、コネクタＳが設けられる。ケース１２は、一端が閉塞し他端が開放した円筒体で形成される。ケース１２の底の内面中心にはケース１２と同軸に円筒状の軸受部２４が形成される。ケース１２の側壁には、電線引出孔２５が形成されるとともに、ケース１２の開放端と電線引出孔２５との間には、電線案内孔２６が形成される。ケース１２の内径は、端子基板１０の円筒部１４外径よりも大径に形成される。ケース１２の開放端側の内面には、周方向の凸部２７が形成される。また、ケース１２の上部には、回転操作部２８が形成される。そして、ケース１２の軸受部２４に対して、端子基板１０の軸部１９を挿入することにより、ケース１２は端子基板１０に被せられる。ケース１２が端子基板１０に被せられた状態において、被覆電線１１が電線引出孔２５から外部へ引出される形態である。また、ケース１２が端子基板１０に被せられた状態において、ケース１２の軸受部２４は端子基板１０の軸部１９に回転可能であって且つ軸方向へ移動可能に支持される。ケース１２は径方向の弾性を有することにより、ケース１２の軸方向の移動に伴い、ケース１２の凸部２７は、端子基板１０の溝１６または溝１７に噛み合う。
【００１１】
図２および図３を参照し、ケース１２に形成された凸部２７、軸受部２４および電線引出孔２５と、端子基板１０に形成された溝１６；１７の位置関係について説明する。図２に示すように、ケース１２の凸部２７が端子基板１０の上側の溝１６に噛み合う場合、ケース１２の電線引出孔２５は端子基板１０の円筒部１４によって閉鎖されない。次に、図３に示すように、ケース１２が軸方向下方へ移動し、ケース１２の凸部２７が端子基板１０の下側の溝１７に噛み合う場合、電線引出孔２５は隙間を残して円筒部１４によって閉鎖されるとともに、電線引出孔２５の上縁２９と円筒部１４の上端とで電線を挟み込む電線ロック機構３０を形成する。また、ケース１２の軸受部２４は、ケース１２が下方へ移動しても支柱部１５の軸部１９がケース１２の底に衝突しない長さを有する。
【００１２】
次に、ランプ風車装置１、および配線収容装置２の組み付けについて説明する。先ず、図２に示すように、ランプ風車装置１が取付けられる遊技盤５の所定位置には、風車取付孔３１が形成され、セット板６にはこの風車取付孔３１に連通する光透過孔３２が形成される。また、セット板６の裏面には、取付支柱２２が図外の螺子のような固定手段によって取付けられる。そして、回転体３は回転ベース７に組み付けられた形態で、遊技盤５の前側から螺子８のような固定手段によって風車取付孔３１周囲の遊技盤５に取付けられる。次に、フィラメント球４を実装した基板９の裏面に対して、端子基板１０の円筒部１４の底の外面を接触させた状態で、端子２１の一端を基板９の端子孔１３から突出させて基板９の配線パターンに半田付けする。その後、螺子２３のような固定手段によって、基板９、および端子基板１０を取付支柱２２に固定する。
【００１３】
次に、被覆電線１１を端子２１に接続した後、被覆電線１１を手で持ちコードリール１８に手で巻き付ける。被覆電線１１が配線収容装置２と図外の制御装置との間において弛まないように、被覆電線１１の余分な量をコードリール１８に巻き取るが、被覆電線１１のコネクタＳを制御装置に接続する作業を容易に行えるように、被覆電線１１は配線収容装置２と制御装置との間の距離よりも若干長めの量をコードリール１８から引出す。その後、ケース１２を端子基板１０の上方から端子基板１０に接近させ、ケース１２の軸受部２４を端子基板１０の軸部１９に嵌合させる。また、ケース１２を端子基板１０の上方から端子基板１０に接近させるに伴い、被覆電線１１をケース１２の電線案内孔２６から電線引出孔２５内に導いて、被覆電線１１を電線引出孔２５に挿通させる。次に、ケース１２を端子基板１０に対して押込むことにより、ケース１２の凸部２７を端子基板１０の上側の溝１６に嵌合させる。そして、ケース１２の回転操作部２８を回転操作してケース１２を回転させることにより、ケース１２の電線引出孔２５を制御装置が存在する方向へ向けた後、被覆電線１１のコネクタＳを制御装置に接続する。
【００１４】
その後、被覆電線１１が配線収容装置２と制御装置との間で弛まないように、被覆電線１１の余分の量を電線引出孔２５からケース１２内に手で押込んだ後、ケース１２を端子基板１０に対してさらに押込むことにより、図３に示すように、ケース１２の凸部２７を端子基板１０の下側の溝１７に嵌合させると、電線ロック機構３０によって被覆電線１１が挟持されるため、被覆電線１１は電線引出孔２５から外部へ引出されない。このため、余分な被覆電線１１が垂れ下がる事態を防止できる。また、以上の説明では、被覆電線１１を直接、手によってコードリール１８に巻き付けた。しかし、端子２１に接続された被覆電線１１をコードリール１８に巻き付けずにケース１２の電線引出孔２５からケース１２外へ引出した状態において、ケース１２の回転操作部２８を回転操作してケース１２を回転させると、電線引出孔２５を挿通する被覆電線１１はケース１２の回転と一緒にコードリール１８の周囲を回転しながらコードリール１８に巻き付く。被覆電線１１をこのようにコードリール１８に巻き付けるようにした場合、配線収容装置２をランプ風車装置１に組み付けた後に、配線収容装置２と制御装置の間の距離に被覆電線１１を実際に当てながら被覆電線１１の引出量を調整できる。
【００１５】
このように第１実施形態においては、コードリール１８に巻き取る被覆電線１１の巻取量を調節することにより、最適な長さの被覆電線１１によってランプ風車装置１と制御装置とを接続できるため、ランプ風車装置１と制御装置との間の距離が異なる複数のランプ風車装置１に対応するように、複数の長さの被覆電線１１を用意することが不要となる。尚、以上の説明では、配線収容装置２をランプ風車装置１と制御装置との間に設けた場合ついて説明したが、配線収容装置２をランプ風車装置１と中継機のような他の電気部品との間に設けても良い。また、以上の説明では、端子基板１０の円筒部１４に溝１６；１７を形成し、ケース１２に凸部２７を形成した場合について説明したが、端子基板１０の円筒部１４に凸部を形成し、ケース１２に溝を形成しても良い。
【００１６】
図４は本発明の第２実施形態を示す。第２実施形態においては、配線収容装置２をサイドランプ装置４１に適用した場合を示す。配線収容装置２の基板４２は長尺に形成され、複数のフィラメント球４３を実装可能である。サイドランプ装置４１は、複数のフィラメント球４３と、ランプケース４４とを備えた形態である。ランプケース４４はフランジ４５を有するとともに、ランプケース４４の底には、螺子４６のような固定手段によって基板４２を取付けるための取付支柱４７を有する。また、ランプケース４４の底には、フィラメント球４３の先端側をランプケース４４内に収容するための孔が形成される。そして、基板４２を組み付けた形態のランプケース４４のフランジ４５は、螺子４８のような固定手段によって、遊技盤５に形成されたランプ孔４９の周囲に固定される。サイドランプ装置４１が遊技盤５に組み付けられた状態において、基板４２は遊技盤５のランプ孔４９内に位置する。以上説明したように、配線収容装置２の基板４２が遊技盤５に形成された孔内に設けられる形態の場合にも本発明を適用できる。
【００１７】
各実施例において配線収容装置２をランプ風車装置１とサイドランプ装置４１とに適用したが、配線収容装置２を音響装置のような他の電気部品にも適用できる。
【図面の簡単な説明】
【図１】第１実施形態の配線収容装置を示す分解斜視図。
【図２】第１実施形態の配線収容装置を示す断面図。
【図３】第１実施形態の配線収容装置を示す断面図。
【図４】第２実施形態の配線収容装置を示す斜視図。
【図５】従来例を示す遊技盤の背面図。
【符号の説明】
１　ランプ風車装置
２　配線収容装置
９　基板
１０　端子基板
１１　被覆電線
１２　ケース
１８　コードリール
２１　端子
４１　サイドランプ装置
４２　基板
【図１】
2004041291.tif 000003
【図２】
2004041291.tif 000004
【図３】
2004041291.tif 000005
【図４】
2004041291.tif 000006
【図５】
2004041291.tif 000007